(57)【要約】【課題】  全ズーム範囲において高い光学性能を持ったズームレンズ及びそれを有する撮像装置を得ること。【解決手段】  物体側から像側へ順に、正の第１レンズ群と、負の第２レンズ群と、負の第３レンズ群と、開口絞りと、正の屈折力の第４レンズ群とを有するズームレンズであって、第４レンズ群は、正の屈折力の第４１レンズ群と正の屈折力の第４２レンズ群で構成されており、第４２レンズ群に含まれる正レンズのうち最も分散の大きい第１正レンズの材料のアッベ数をνｍ、該第１正レンズ以外の正レンズの材料の平均アッベ数をνｒｐ、前記第４２レンズ群内の負レンズの材料の平均アッベ数をνｒｎとするとき、０．４＜νｍ／（νｒｐ−νｒｎ）＜０．６３なる条件を満たす。【選択図】  図１
2010217735.tif 000002
【特許請求の範囲】
【請求項１】
物体側から像側へ順に、正の屈折力の第１レンズ群と、負の屈折力の第２レンズ群と、負の屈折力の第３レンズ群と、開口絞りと、正の屈折力の第４レンズ群と、を有するズームレンズであって、
前記第４レンズ群は、最も長い空気間隔を挟んで、物体側から順に、正の屈折力の第４１レンズ群と正の屈折力の第４２レンズ群で構成されており、
該第４２レンズ群に含まれる正レンズのうち最も分散の大きい第１正レンズの材料のアッベ数をνｍ、該第１正レンズ以外の正レンズの材料の平均アッベ数をνｒｐ、前記第４２レンズ群内の負レンズの材料の平均アッベ数をνｒｎとするとき、
０．４００＜νｍ／（νｒｐ−νｒｎ）＜０．６３０
なる条件を満たすことを特徴とするズームレンズ。
【請求項２】
前記第４１レンズ群内の正レンズの材料のアッベ数と部分分散比の平均値を各々νｆｐ、θｆｐ、前記第４１レンズ群内の負レンズの材料のアッベ数と部分分散比の平均値を各々νｆｎ、θｆｎとするとき、
２．１×１０−３＜（θｆｎ−θｆｐ）／（νｆｐ−νｆｎ）＜３．７×１０−３
なる条件を満たすことを特徴とする請求項１に記載のズームレンズ。
【請求項３】
前記第４１レンズ群の屈折力をφｆ、前記第１正レンズの屈折力をφｍとしたとき、
０．２＜φｍ／φｆ＜１．１
なる条件を満たすことを特徴とする請求項１又は２に記載のズームレンズ。
【請求項４】
前記第１正レンズの部分分散比をθｍとするとき、
−１．６５×１０−３＜（θｍ−０．６５２）／νｍ＜０
１５＜νｍ＜３０
なる条件を満たすことを特徴とする請求項１乃至３いずれかに記載のズームレンズ。
【請求項５】
前記第１正レンズは、単レンズとして配置されていることを特徴とする請求項１乃至４いずれかに記載のズームレンズ。
【請求項６】
前記第４１レンズ群は少なくとも１枚以上の正レンズと、正レンズと負レンズを接合した接合レンズとを含むことを特徴とする請求項１から５に記載のズームレンズ。
【請求項７】
光電変換素子に像を形成することを特徴とする請求項１乃至６いずれかに記載のズームレンズ。
【請求項８】
撮像素子と、
前記撮像素子上に被写体の像を形成する、請求項１から７に記載のズームレンズとを有することを特徴とする撮像装置。
【発明の詳細な説明】
【技術分野】
【０００１】
本発明はズームレンズ及びそれを有する撮像装置に関する。
【背景技術】
【０００２】
近年、テレビカメラ、デジタルカメラ、ビデオカメラ等の撮像装置には、高ズーム比でしかも高い光学性能を有したズームレンズが要望されている。
【０００３】
高ズーム比のズームレンズとして、最も物体側に、正の屈折力のレンズ群を配置し、全体として４つのレンズ群より成るポジティブリード型の４群ズームレンズが知られている（特許文献１、２）。これらの４群ズームレンズにおいては、異常分散性を有する光学材料や回折素子などを用いて色収差を補正している。
【先行技術文献】
【特許文献】
【０００４】
【特許文献１】特開２００３−２８７６７８号公報
【特許文献２】特開平８−１４６２９４号公報
【発明の概要】
【発明が解決しようとする課題】
【０００５】
しかしながら、ズームレンズの更なる高ズーム比化、及び撮像素子の更なる高画素化に伴って、ズームレンズの更なる高性能化、特に全ズーム領域における軸上色収差量の更なる低減、が求められている。
【０００６】
そこで、本発明は、高ズーム比のズームレンズにおいても、全ズーム領域において良好に倍率色収差の低減が可能なズームレンズを提供することを目的とする。
【課題を解決するための手段】
【０００７】
本発明のズームレンズは、物体側から像側へ順に、正の屈折力の第１レンズ群と、負の屈折力の第２レンズ群と、負の屈折力の第３レンズ群と、開口絞りと、正の屈折力の第４レンズ群と、を有するズームレンズであって、前記第４レンズ群は、最も長い空気間隔を挟んで、物体側から順に、正の屈折力の第４１レンズ群と正の屈折力の第４２レンズ群で構成されており、該第４２レンズ群に含まれる正レンズのうち最も分散の大きい第１正レンズの材料のアッベ数をνｍ、該第１正レンズ以外の正レンズの材料の平均アッベ数をνｒｐ、前記第４２レンズ群内の負レンズの材料の平均アッベ数をνｒｎとするとき、
０．４  ＜  νｍ／（νｒｐ−νｒｎ）  ＜  ０．６３
なる条件を満たすことを特徴としている。
【発明の効果】
【０００８】
本発明によれば、全ズーム範囲において高い光学性能を持ったズームレンズ及びそれを有する撮像装置を得られる。
【図面の簡単な説明】
【０００９】
【図１】本発明の実施例１のズームレンズの広角端でフォーカス無限遠時の光路図
【図２】（Ａ）は数値実施例１の広角端における物体距離２ｍのときの縦収差図、（Ｂ）は数値実施例１の焦点距離１６．０２ｍｍにおける物体距離２ｍのときの縦収差図、（Ｃ）は数値実施例１の望遠端における物体距離２ｍのときの縦収差図
【図３】本発明の実施例２のズームレンズの広角端でフォーカス無限遠時の光路図
【図４】（Ａ）は数値実施例２の広角端における物体距離２ｍのときの縦収差図、（Ｂ）は数値実施例２の焦点距離１６．０２ｍｍにおける物体距離２ｍのときの縦収差図、（Ｃ）は数値実施例２の望遠端における物体距離２ｍのときの縦収差図
【図５】本発明の実施例３のズームレンズの広角端でフォーカス無限遠時の光路図
【図６】（Ａ）は数値実施例３の広角端における物体距離２ｍのときの縦収差図、（Ｂ）は数値実施例３の焦点距離１６．０２ｍｍにおける物体距離２ｍのときの縦収差図、（Ｃ）は数値実施例３の望遠端における物体距離２ｍのときの縦収差図
【図７】本発明の実施例４のズームレンズの広角端でフォーカス無限遠時の光路図
【図８】（Ａ）は数値実施例４の広角端における物体距離６ｍのときの縦収差図、（Ｂ）は数値実施例４の焦点距離３０．２９ｍｍにおける物体距離６ｍのときの縦収差図、（Ｃ）は数値実施例４の望遠端における物体距離６ｍのときの縦収差図
【図９】本発明の実施例５のズームレンズの広角端でフォーカス無限遠時の光路図
【図１０】（Ａ）は数値実施例５の広角端における物体距離６ｍのときの縦収差図、（Ｂ）は数値実施例５の焦点距離３０．２９ｍｍにおける物体距離６ｍのときの縦収差図、（Ｃ）は数値実施例５の望遠端における物体距離６ｍのときの縦収差図
【図１１】本発明の実施例６のズームレンズの広角端でフォーカス無限遠時の光路図
【図１２】（Ａ）は数値実施例６の広角端における物体距離２ｍのときの縦収差図、（Ｂ）は数値実施例６の焦点距離３２．０４ｍｍにおける物体距離２ｍのときの縦収差図、（Ｃ）は数値実施例６の望遠端における物体距離２ｍのときの縦収差図
【図１３】本発明の実施例７の撮像装置の要部概略図
【図１４】倍率色収差２次スペクトル概念図
【発明を実施するための形態】
【００１０】
本実施例のズームレンズは、物体側から順に、正の屈折力の第１レンズ群Ｕ１、負の屈折力の第２レンズ群Ｕ２、負の屈折力の第３レンズ群Ｕ３、開口絞りＳＰ、正の屈折力の第４レンズ群Ｕ４を有している。ここで、第１レンズ群は、合焦動作に伴って少なくとも一部（全体でも構わない）が光軸方向に移動する。第２レンズ群は、変倍（ズーミング）に伴って光軸方向に移動する（広角端から望遠端への変倍に伴って像側に移動する）。第３レンズ群は、第２レンズ群が移動することによる像面変動（光軸方向における移動）を補正するために、光軸方向に移動する。第４レンズ群は、変倍（ズーミング）のためには不動であるが、合焦動作に伴って動いても構わない（実施例においては合焦動作の際も不動）。この第４レンズ群は、この第４レンズ群内のレンズ同士の空気間隔のうち最も長い空気間隔を挟んで、物体側から正の屈折力の第４１レンズ群、正の屈折力の第４２レンズ群で構成されている。
【００１１】
本発明のズームレンズは、上記のような構成において、以下の条件を満足することを特徴としている。
０．４００＜νｍ／（νｒｐ−νｒｎ）＜０．６３０    ・・・（１）
ここで、νｍは、第４２レンズ群に含まれる正レンズのうち最も分散の大きい正レンズ（第１正レンズ）Ｌｍの材料のアッベ数である。また、νｒｐは、この第４２レンズ群に含まれる正レンズのうち第１正レンズ以外（正レンズＬｍ以外）の正レンズに使用されている材料の平均アッベ数であり、νｒｎは、第４２レンズ群に含まれる負レンズに使用されている材料の平均アッベ数である。
【００１２】
ここで、本実施例で用いている光学素子（レンズ）の材料のｄ線についてのアッベ数νｄの定義は次のとおりである。
νｄ＝（Ｎｄ−１）／（ＮＦ−ＮＣ）      ・・・（２）
ただし、光学素子のフラウンフォーファ線のＦ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。
【００１３】
この条件式（１）を満足することにより、高変倍なズームレンズのズーム全域（広角端から望遠端までの全ズーム領域）において、倍率色収差を良好に低減することが可能となる。
【００１４】
ここで、更に
０．５４０＜νｍ／（νｒｐ−νｒｎ）＜０．６２９    ・・・（１ａ）
を満足すると尚好ましい。
【００１５】
以下の条件式（９）、（１０）、（１１）、（１２）、（１３）、（１４）等については、本発明のズームレンズにおける付加的な課題を解決するための望ましい条件を設定した条件式である。具体的には以下に述べる。
【００１６】
このような４群ズームレンズにおいて高い光学性能を得るためには、特に広角端における倍率色収差および望遠端における軸上色収差を良好に補正することが重要となる。広角端の倍率色収差と望遠端の軸上色収差の良好な補正を両立する際、適切な材料の配置を見極めないとレンズ枚数が増加する、或いは、レンズの有効径が増大してくる。
【００１７】
まず、近軸追跡におけるｉ番目のレンズ（薄肉レンズ）の軸上光線の光軸からの高さをｈ＿ｉとし、を近軸追跡におけるｉ番目のレンズの軸外主光線の光軸からの高さをｈ＿ｂａｒ＿ｉとする。また、近軸追跡におけるｉ番目のレンズの屈折力をφ＿ｉ、近軸追跡におけるｉ番目のレンズのアッベ数とν＿ｉとする。
【００１８】
このときレンズ系の軸上色収差係数Ｌ及び倍率色収差係数Ｔは、
Ｌ＝Σ（ｈ＿ｉ×ｈ＿ｉ×φ＿ｉ／ν＿ｉ）              ・・・（３）
Ｔ＝Σ（ｈ＿ｉ×ｈ＿ｂａｒ＿ｉ×φ＿ｉ／ν＿ｉ）      ・・・（４）
と表すことができる。この式より、軸上色収差は高さｈの自乗に比例し、倍率色収差は高さｈと高さｈ＿ｂａｒに比例することが分かる。
【００１９】
第４レンズ群Ｕ４を上記のように構成することで、軸上色収差と倍率色収差の補正能力を第４レンズ群内の各群に適切に分担させることができる。即ち、第４２レンズ群の倍率色収差補正の分担度を高くすることができる。したがって、各実施例のズームレンズにおいて、正レンズ（第１正レンズ）Ｌｍを最も像面に近い第４２レンズ群内に配置することにより、倍率色収差（特に広角端の倍率色収差）を良好に低減することができる。
【００２０】
各実施例では、第４１レンズ群Ｕ４１の物体側に近接して開口絞りＳＰを配している（開口絞りＳＰは第３レンズ群よりも第４レンズ群に近い位置に配置されている）。このとき、第４２レンズ群Ｕ４２内でのｈ＿ｂａｒは、第４１レンズ群Ｕ４１内でのｈ＿ｂａｒに比べ相対的に大きくなる。また、正の屈折力の第４１レンズ群Ｕ４１と正の屈折力の第４２レンズ群Ｕ４２の間に適切な長さの空気間隔を設ける事で、第４２レンズ群Ｕ４２内のｈ＿ｂａｒを大きくすることができる。
【００２１】
これらを鑑みれば、倍率色収差を効果的に補正する為には、正レンズＬｍの光学材料を適切に選択する必要がある。以下、全体として正の屈折力φを持ち、正レンズ、負レンズを有するレンズ群の色消し条件について説明する。このときレンズ系全体の屈折力φ（＞０）は、
φ＝φ１＋φ２      ・・・（５）
と表される。ここでφ１は正レンズの屈折力、φ２は負レンズの屈折力で、φ１＞０、φ２＜０である。
【００２２】
また、このレンズ群は、正レンズのアッベ数をν１、負レンズのアッベ数をν２とするとき、
Ｅ＝φ１／ν１＋φ２／ν２      ・・・（６）
で表すことができるＥを０に近づけるほど、このレンズ群での色収差を良好に低減することができる。ここで、Ｅ＝０を満足すれば、Ｆ線とＣ線の結像位置が合致し、１次の色消しを達成することができる。
【００２３】
ここで、条件式（５）において、Φ＞０であるため、｜φ１｜＞｜φ２｜となる。この条件下でＥ＝０とするためには、条件式（６）より正負レンズのアッベ数はν１＞ν２を満足する必要がある。即ち、正レンズのアッベ数が負レンズのアッベ数よりも大きくなるようにレンズ群を構成する（レンズの光学材料を選択する）必要がある。
【００２４】
このようにＦ線−Ｃ線間の１次の色消しが成されるとき、ｇ線の結像位置がＦ線、Ｃ線の結像位置とずれる。正レンズ、負レンズの部分分散比をそれぞれθ１、θ２とするとき、前述の結像位置のずれ量（２次スペクトル）Δは以下の式で表される。
Δ＝−（１／φ）（θ１−θ２）／（ν１−ν２）      ・・・（７）
ここで、ｇ線とＦ線に関する部分分散比θｇＦの定義は次のとおりである。光学材料のフラウンフォーファ線のｇ線（４３５．８ｎｍ）、Ｆ線（４８６．１ｎｍ）、ｄ線（５８７．６ｎｍ）、Ｃ線（６５６．３ｎｍ）それぞれに対する屈折率をそれぞれＮｇ、ＮＦ、Ｎｄ、ＮＣとする。このとき、部分分散比θｇＦは、
θｇＦ＝（Ｎｇ−ＮＦ）／（ＮＦ−ＮＣ）      ・・・（８）
と表すことができる。
【００２５】
一般的に、アッベ数νｄが小さい材料ほど部分分散比θｇＦが大きくなる傾向があるため、θ１＜θ２となりやすい。このとき条件式（７）より、ｇ線の結像位置は、軸上では像面側にずれ、軸外では像高の高い方向にずれる傾向がある（図１４）。この２次スペクトルを低減するためには、条件式（７）の分子（θ１−θ２）を小さくし、分母（ν１−ν２）を大きくすれば良い。
【００２６】
そこで本発明の実施例では、条件式（７）の分子を小さくするため、１枚の正レンズＬｍを、νｄが小さくθｇＦが大きい（異常分散性が高い）材料のレンズとしている。更に、条件式（７）の分母を大きくし、且つ１次の色消し条件Ｅ＝０を保つため、Ｌｍ以外の正レンズにはνｄが大きく、負レンズにはνｄの小さい材料のレンズとする。
【００２７】
このような構成とすることにより、軸上色収差を良好に補正しながら倍率色収差の２次スペクトルを効果的に低減する事ができる。
【００２８】
第４１レンズ群Ｕ４１に含まれる（第４１レンズ群内の）正レンズの材料のアッベ数と部分分散比の平均値を各々νｆｐ、θｆｐとする。また、第４１レンズ群に含まれる（第４１レンズ群内の）負レンズの材料のアッベ数と部分分散比の平均値を各々νｆｎ、θｆｎとする。このとき第４１レンズ群は、
２．１×１０−３＜（θｆｎ−θｆｐ）／（νｆｐ−νｆｎ）＜３．７×１０−３      ・・・（９）
を満足すると好ましい。
【００２９】
このように、条件式（１）と条件式（９）の両者を満足すれば、軸上色収差（特に望遠端での軸上色収差）と倍率色収差（特に広角端での倍率色収差）を共に良好に低減することができる。数式（３）、（４）で記載したように、第４１レンズ群は軸上色収差の補正分担度が高いため、第４１レンズ群内の正レンズ、負レンズのアッベ数を適切に設定することで特に軸上色収差を効果的に低減することができる。
【００３０】
ここで、更に
２.１１×１０−３＜（θｆｎ−θｆｐ）／（νｆｐ−νｆｎ）＜２.５２×１０−３      ・・・（９ａ）
を満足すると尚好ましい。
【００３１】
次に、第４１レンズ群の屈折力をφｆ、正レンズＬｍの屈折力をφｍとしたとき、
０．２０＜φｍ／φｆ＜１．１０      ・・・（１０）
なる条件を満足すると尚好ましい。
【００３２】
この条件式（１０）を満足すれば倍率色収差をより良好に低減することができる。この条件式（１０）の下限値を下回ると、倍率色収差の低減が困難となる。特に、φｍに対してφｆが大きくなり、条件式（１０）の下限値を下回ると、撮像装置に対して交換可能なズームレンズとしてのバックフォーカスを確保することが困難となったり、倍率色収差補正が困難となったりする。一方、φｆに対してφｍが大きくなり、条件式（１０）の上限値を上回ると、軸上色収差の低減が困難となる。また、φｍに対してφｆが小さくなり、条件式（１０）の上限値を上回ると、第４２群の有効径が大きくなり小型軽量化が困難となる。また、軸上色収差と倍率色収差の低減の両立が困難となる。
【００３３】
ここで、更に、
０．２１＜φｍ／φｆ＜０.６０      ・・・（１０ａ）
を満足すると尚好ましい。
【００３４】
第４２レンズ群Ｕ４２では、第４２レンズ群Ｕ４２に含まれる最も分散の大きい正レンズＬｍのアッベ数と部分分散比を各々νｍ、θｍとする。このとき正レンズＬｍは、
−１．６５×１０−３＜（θｍ−０．６５２）／νｍ＜０      ・・・（１１）
１５＜νｍ＜３０      ・・・（１２）
を満足すると尚好ましい。
【００３５】
第４２レンズ群Ｕ４２に含まれる正レンズのうち、最も分散の大きい正レンズＬｍの材料を前述の如く条件式（１１）と（１２）を満足するようにして色消しをより一層効果的に行っている。
【００３６】
条件式（１１）を満足する光学材料を第４２レンズ群Ｕ４２に用いることによって、ｇ線〜Ｃ線の広い波長帯域にわたって色収差の補正を良好に行っている。特に、光学系全体における広角端の倍率色収差を良好に補正している。
【００３７】
条件式（１１）の下限値を下回ったり、（１２）の上限値を上回ったりすると、正の屈折力の第４２レンズ群Ｕ４２に充分な色消し効果を持たせることが困難になる。特に光学系全体における広角端の倍率色収差に対して充分な補正効果を得るのが困難となる。
【００３８】
逆に、条件式（１１）の上限値を上回ったり、（１２）の下限値を下回ったりすると、正の屈折力の第４２レンズ群Ｕ４２における１次と２次の色消しバランスが崩れてしまい、光学系全体における軸上色収差と倍率色収差の補正を両立することが困難となる。
【００３９】
ここで、更に、
−１．４５×１０−３＜（θｍ−０．６５２）／νｍ＜−０．９０×１０−３      ・・・（１１ａ）
２２.５＜νｍ＜２７.０      ・・・（１２ａ）
を満足すると尚好ましい。
【００４０】
また、第４２レンズ群内で最も分散の大きい正レンズを単レンズとして構成することが望ましい。この第４２レンズ群Ｕ４２において単レンズとして配置された正レンズは、負の屈折力を有するレンズと近接して配置して色消しを担うことも可能である。
【００４１】
また、第４１レンズ群は、１枚以上の正レンズ（単レンズ）と、正レンズと負レンズとの接合レンズとを含むことが望ましい。
【００４２】
また、上記のズームレンズが、光電変換素子上（撮像素子上）に像を形成する（結ぶ）ズームレンズであることが望ましい。
【００４３】
尚、本発明と同等の色収差補正効果を得るために、特徴的な部分分散特性を有する素子を弱い屈折力の複数のレンズに分割して配置する方法も十分に考えられる。その場合、球面収差やコマ収差などの収差補正能力が向上することや、偏心収差調整機構としての機能を付与することが可能であるが、小型軽量化を達成するのが困難となる。
【００４４】
また、第４１レンズ群Ｕ４１と第４２レンズ群Ｕ４２の間の空気間隔Ｄは、全系の焦点距離範囲を変移させる（不連続に変化させる）変倍光学系ユニット（エクステンダ、ＩＥ、ＥＸＴ）を挿抜するのに適した構成となっている。第４レンズ群Ｕ４の第１レンズ面から最終レンズ面までの長さをＬ４、第４レンズ群Ｕ４の第４１レンズ群Ｕ４１と第４２レンズ群Ｕ４２との間の空気間隔を通過する軸上マージナル光線が光軸に対してなす傾角［単位：度（°）］をξとする。そして、収斂光束（像面に向かって収斂する光線）が光軸からなす角を＋、発散光束（像面に向かって発散する光線）が光軸からなす角を−とし、アフォーカル時をξ＝０とするとき、
０．１５＜Ｄ／Ｌ４      ・・・（１３）
−５°＜ξ＜＋５°      ・・・（１４）
の少なくともいずれか一つを満足するような構成とすることが望ましい。
【００４５】
条件式（１３）の下限値を下回ると、前記変倍光学系ユニットを挿抜するのに必要となる空気間隔を確保するのが困難となる。
【００４６】
各実施例にあるようなレンズ最終面と像面との間に色分解光学系などを含む光学系では比較的長いバックフォーカスを必要とするが、条件式（１４）の上限値を上回ると十分な長さのバックフォーカスを確保するのが困難となる。条件式（１４）の下限値を下回ると、入射光束の発散角度が大きくなり過ぎて、変倍光学系ユニットのレンズ有効径が大きくなるのに加え、良好な光学性能を得ることが困難となる。
【００４７】
ここで、更に、
０．３８０＜Ｄ／Ｌ４＜０．４５０      ・・・（１３ａ）
＋０.４０°＜ξ＜＋２.８０°        ・・・（１４ａ）
の少なくとも一つを満足すると尚好ましい。
【００４８】
また、正の屈折力の第４レンズ群Ｕ４内に主に変倍に寄与する可動部（変倍時に光軸方向に移動するレンズ群）を設けると、レンズ系全体の有効径が増大し、製造が困難になる。
【００４９】
本発明のズームレンズは、７〜４０倍程度（好ましくは１００倍程度迄）の変倍比を達成し、且つレンズ構成が比較的簡易で、ズーム全域で良好な収差補正を達成することができるズームタイプである。
【実施例１】
【００５０】
図１は本発明の実施例１（数値実施例１）であるズームレンズの構成図と、広角端で無限遠物体に合焦しているときの光路図である。図２（Ａ）、（Ｂ）、（Ｃ）は、数値実施例１の広角端、焦点距離１６．０２ｍｍ、望遠端における距離２ｍの物体に合焦しているときの縦収差図である。
【００５１】
但し、焦点距離や物体距離の値は、後述する数値実施例をｍｍ単位で表したときの値である。物体距離は像面からの距離である。これらは以下の各実施例において、全て同じである。
【００５２】
レンズ光路図において、第１レンズ群Ｕ１はズーミングに際して不動で、正の屈折力を有している。第１レンズ群Ｕ１は、フォーカスのための屈折力を有し、全体又は一部の屈折力のあるレンズ群を移動することにより、フォーカスを行っている。
【００５３】
第２レンズ群Ｕ２はズーミング時に移動する、負の屈折力を持つレンズ群（バリエータレンズ群）である。
【００５４】
第３レンズ群Ｕ３はズーミング時に移動する、負の屈折力を持つレンズ群（コンペンセーターレンズ群）である。この第３レンズ群Ｕ３は、第２群レンズ群の移動に連動して光軸上を移動して、変倍に伴う像面変動を補正している。
【００５５】
ＳＰは開口絞りであり、第３レンズ群Ｕ３と第４レンズ群との間に配置されている。Ｕ４はズーミングに際して不動で、結像のための正の屈折力の第４レンズ群（リレーレンズ群）である。
【００５６】
第４レンズ群Ｕ４は最も距離の長い空気間隔を境に正の屈折力の第４１レンズ群Ｕ４１と正の屈折力の第４２レンズ群Ｕ４２で構成されている。
【００５７】
ＤＧは色分解プリズムや光学フィルターであり、ガラスブロックとして示している。ＩＰは像面であり、固体撮像素子（光電変換素子）の撮像面に相当している。
【００５８】
Ｌｍは異常分散性を有する材料（光学材料）からなるレンズ（光学素子）である。
【００５９】
収差図において、球面収差は、ｇ線とｅ線とＣ線とＦ線を示している。非点収差はｅ線のメリディオナル像面（ｍｅｒｉ）とｅ線のサジタル像面（ｓａｇｉ）を示している。倍率色収差はｇ線とＣ線とＦ線によってあらわしている。ＦｎｏはＦナンバー、ωは半画角である。
【００６０】
全ての収差図において、球面収差は０．２ｍｍ、非点収差は０．２ｍｍ、歪曲は５％、倍率色収差は、０．０５ｍｍのスケールで描かれている。
【００６１】
尚、以下の各実施例において広角端と望遠端は変倍用の第２レンズ群Ｕ２が機構上光軸上を移動可能な範囲の両端に位置したときのズーム位置をいう。
【００６２】
以上に説明したレンズ構成は、以下に説明する各実施例で全て同じである。
【００６３】
実施例１に対応する数値実施例１は、アッベ数や部分分散比の値を条件式（１）、（９）〜（１４）に代入すると表１の実施例１の欄に記述されている値となり、全ての条件式を満足している。これにより、数値実施例１は、広角端での良好な倍率色収差と、ズーム全域における良好な軸上色収差を達成している。
【００６４】
数値実施例１において異常分散性を有する光学材料からなるレンズＬｍは、第４２レンズ群Ｕ４２の最も物体側に正レンズとして配置されている。特に広角側において倍率色収差を効果的に補正している。
【００６５】
第４１レンズ群Ｕ４１は正レンズ、正レンズ、正レンズと負レンズの接合レンズより成っている。
【００６６】
第４２レンズ群Ｕ４２は正レンズ、負レンズと正レンズとを接合した接合レンズ、正レンズと負レンズとを接合した接合レンズ、正レンズより成っている。
【００６７】
尚、第４１レンズ群Ｕ４１と第４２レンズ群Ｕ４２の間隔は、全系の焦点距離範囲を変移させる変倍光学系ユニットを挿抜するのに適した構造を有している。
【実施例２】
【００６８】
図３は本発明の実施例２（数値実施例２）であるズームレンズの広角端で、無限遠物体に合焦しているときの光路図である。図４（Ａ）、（Ｂ）、（Ｃ）は、数値実施例２の広角端、焦点距離１６．０２ｍｍ、望遠端における距離２ｍの物体に合焦しているときの縦収差図である。
【００６９】
実施例２に対応する数値実施例２はアッベ数や部分分散比の値を条件式（１）、（９）〜（１４）に代入すると表１の実施例２の欄に記述されている値となり、全ての条件式を満足している。これにより数値実施例２は、広角端において良好な倍率色収差と、ズーム全域における良好な軸上色収差を達成している。
【００７０】
数値実施例２の異常分散性を有する光学材料からなるレンズＬｍは、第４２レンズ群Ｕ４２の最も物体側に正レンズとして配置されている。特に広角側において倍率色収差の補正を効果的に行っている。
【００７１】
第４１レンズ群Ｕ４１と第４２レンズ群Ｕ４２のレンズ構成は実施例１と同じであるが、第４２レンズ群Ｕ４２に含まれる最も分散の大きいレンズの材料が異なっている。
【００７２】
数値実施例１は数値実施例２に比べて、前記第４２レンズ群Ｕ４２に含まれる正レンズのうち最も分散の大きいレンズ材料の部分分散比が高い。このことにより、特に光学系全体における広角端の倍率色収差をより効果的に補正している。
【００７３】
一方、数値実施例２は数値実施例１に比べて、前記第４２レンズ群Ｕ４２に含まれる正レンズのうち最も分散の大きいレンズ材料の分散が低い。このことにより、特に光学系全体におけるズーム全域の軸上色収差や色の球面収差成分について、より良好な補正バランスを実現している。
【００７４】
尚、第４１レンズ群Ｕ４１と第４２レンズ群Ｕ４２の間隔は、全系の焦点距離範囲を変移させる変倍光学系ユニットを挿抜するのに適した構造を有している。
【実施例３】
【００７５】
図５は本発明の実施例３（数値実施例３）であるズームレンズの広角端で、無限遠物体に合焦しているときの光路図である。図６（Ａ）、（Ｂ）、（Ｃ）は、数値実施例３の広角端、焦点距離１６．０２ｍｍ、望遠端における距離２ｍの物体に合焦しているときの縦収差図である。
【００７６】
実施例３に対応する数値実施例３はアッベ数や部分分散比の値を条件式（１）、（９）〜（１４）に代入すると表１の実施例３の欄に記述されている値となり、全ての条件式を満足している。これにより数値実施例３は、広角端において良好な倍率色収差と、ズーム全域における良好な軸上色収差を達成している。
【００７７】
数値実施例３の異常分散性を有する光学材料からなるレンズＬｍは、第４２レンズ群Ｕ４２の最も物体側に正レンズとして配置されている。特に広角側において倍率色収差の補正を効果的に行っている。
【００７８】
第４１レンズ群Ｕ４１と第４２レンズ群Ｕ４２のレンズ構成は実施例１、２と同じであり、第４２レンズ群Ｕ４２に含まれる最も分散の大きいレンズは実施例２と同じである。
【００７９】
尚、第４１レンズ群Ｕ４１と第４２レンズ群Ｕ４２の間隔は、全系の焦点距離範囲を変移させる変倍光学系ユニットを挿抜するのに適した構造を有している。
【実施例４】
【００８０】
図７は本発明の実施例４（数値実施例４）であるズームレンズの広角端で、無限遠物体に合焦しているときの光路図である。図８（Ａ）、（Ｂ）、（Ｃ）は、数値実施例４の広角端、焦点距離３０．２９ｍｍ、望遠端における距離６ｍの物体に合焦しているときの縦収差図である。
【００８１】
実施例４に対応する数値実施例４はアッベ数や部分分散比の値を条件式（１）、（９）〜（１４）に代入すると表１の実施例４の欄に記述されている値となり、全ての条件式を満足している。これにより数値実施例４は、広角端において良好な倍率色収差と、ズーム全域における良好な軸上色収差を達成している。
【００８２】
数値実施例４の異常分散性を有する光学材料からなるレンズＬｍは、第４２レンズ群Ｕ４２の最も像面側に正レンズとして配置されている。特に広角側において倍率色収差の補正を効果的に行っている。
【００８３】
実施例４のレンズは、実施例１〜３と比べてズーム比が小さく、より望遠側のズームタイプ構成である。
【００８４】
第４２レンズ群Ｕ４２のレンズ構成は実施例１〜３と同じであるが、第４１レンズ群Ｕ４１のレンズ構成は、正レンズ、正レンズと負レンズの接合レンズ、正レンズと負レンズの接合レンズより成っている。
【００８５】
尚、第４１レンズ群Ｕ４１と第４２レンズ群Ｕ４２の間隔は、全系の焦点距離範囲を変移させる変倍光学系ユニットを挿抜するのに適した構造を有している。
【実施例５】
【００８６】
図９は本発明の実施例５（数値実施例５）であるズームレンズの広角端で、無限遠物体に合焦しているときの光路図である。図１０（Ａ）、（Ｂ）、（Ｃ）は、数値実施例５の広角端、焦点距離３０．２９ｍｍ、望遠端における距離６ｍの物体に合焦しているときの縦収差図である。
【００８７】
実施例５に対応する数値実施例５はアッベ数や部分分散比の値を条件式（１）、（９）〜（１４）に代入すると表１の実施例５の欄に記述されている値となり、全ての条件式を満足している。これにより数値実施例５は、広角端において良好な倍率色収差と、ズーム全域における良好な軸上色収差を達成している。
【００８８】
数値実施例５の異常分散性を有する光学材料からなるレンズＬｍは、第４２レンズ群Ｕ４２の最も像面側に正レンズとして配置されている。特に広角側において倍率色収差の補正を効果的に行っている。
【００８９】
実施例５のレンズは、第１群〜第３群まで実施例４と共通であり、第４群の正負レンズ構成が同じである。
【００９０】
実施例５のレンズは、実施例４のレンズに比べレンズＬｍの屈折力の大きさを表す条件式（６）の値が大きく、広角端における倍率色収差をより効果的に補正している。
【００９１】
尚、第４１レンズ群Ｕ４１と第４２レンズ群Ｕ４２の間隔は、全系の焦点距離範囲を変移させる変倍光学系ユニットを挿抜するのに適した構造を有している。
【実施例６】
【００９２】
図１１は本発明の実施例６（数値実施例６）であるズームレンズの広角端で、無限遠物体に合焦しているときの光路図である。図１２（Ａ）、（Ｂ）、（Ｃ）は、数値実施例６の広角端、焦点距離３２．０４ｍｍ、望遠端における距離２ｍの物体に合焦しているときの縦収差図である。
【００９３】
実施例６に対応する数値実施例６は、第４群中で最大の空気間隔に、図２１中でＥＸＴ（エクステンダ）として示されている挿抜可能な変倍光学系を挿入した構成である。
【００９４】
実施例６に対応する数値実施例６はアッベ数や部分分散比の値を条件式（１）、（９）〜（１４）に代入すると表１の実施例６の欄に記述されている値となり、全ての条件式を満足している。これにより数値実施例６は、広角端において良好な倍率色収差と、ズーム全域における良好な軸上色収差を達成している。
【００９５】
尚、実施例６の収差図については、球面収差と非点収差のスケールが他の実施例と異なり、両方とも０．４ｍｍのスケールで描かれている。
【実施例７】
【００９６】
図１３は各実施例のズームレンズを撮影光学系として用いた実施例７の撮像装置１２５（テレビカメラシステム）の要部概略図である。図１３において１０１は実施例１〜６のいずれか１つのズームレンズである。１２４はカメラ本体であり、ズームレンズ１０１はカメラ本体１２４に対して着脱可能になっている。１２５はカメラ１２４にズームレンズ１０１を装着することにより構成される撮像装置（撮像システム）である。尚、ここでズームレンズ１０１とカメラ本体１２４とは一体的に構成しても構わない。
【００９７】
ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺは変倍の為に光軸上を移動する第２レンズ群と、変倍に伴う像面変動を補正する為に光軸上を移動する第３レンズ群が含まれている。
【００９８】
ＳＰは開口絞りである。第４レンズ群Ｒは光路中より挿抜可能な変倍光学系ユニット（レンズユニット）ＩＥを有している。この変倍光学系ユニットＩＥ（ＥＸＴ）はズームレンズ１０１の全系の焦点距離範囲を不連続に変移している。
【００９９】
１１４、１１５は、各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【０１００】
カメラ本体１２４において、１０９はカメラ本体１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ本体１２４及びズームレンズ本体１０１の各種の駆動を制御するＣＰＵである。
【０１０１】
このように本発明のズームレンズをテレビカメラに適用することにより、高い光学性能を有する撮像装置を実現している。
【０１０２】
以下に本発明の実施例１〜６に対応する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、Ｎｉ，νｉは第ｉ番目の光学部材の屈折率とアッベ数である。最後の３つの面は、フィルター等のガラスブロックである。
【０１０３】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２をそれぞれ非球面係数としたとき、次式で表している。
【０１０４】
【数１】
2010217735.tif 000003
【０１０５】
で表される。又、例えば「ｅ−Ｚ」は「×１０−Ｚ」を意味する。＊印は非球面であることを示している。
【０１０６】
（数値実施例１）
面データ
面番号         r        d        nd        vd    θgF        有効径
1*        227.195     2.50    1.77250    49.6  0.5521        87.70
2          33.736    19.76                                     61.84
3         311.589     1.85    1.75500    52.3  0.5476        61.28
4          80.391    13.54                                     58.97
5         -80.728     1.75    1.75500    52.3  0.5476        58.73
6      -17642.010     1.30                                    60.74
7         135.169     6.62    1.80518    25.4  0.6161        63.25
8        -339.711     1.16                                    63.31
9         328.904     9.40    1.51633    64.1  0.5352        62.99
10*       -74.094    11.86                                    62.84
11       1211.778     8.57    1.48749    70.2  0.5300        54.63
12        -67.682     1.65    1.88300    40.8  0.5667        54.19
13       -126.215     0.20                                    54.42
14        182.391     1.65    2.00330    28.3  0.5980        52.89
15         55.727    10.56    1.49700    81.5  0.5375        52.39
16       -405.898     0.20                                    53.25
17        130.732     9.01    1.49700    81.5  0.5375        54.61
18        -91.216     0.20                                    54.76
19         57.687     7.79    1.62041    60.3  0.5426        52.65
20       1234.500    (可変)                                 51.79
21         52.721     0.75    1.88300    40.8  0.5667        21.51
22         13.435     3.29                                    18.24
23         67.192     0.75    1.88300    40.8  0.5667        18.10
24         36.490     2.83                                    17.67
25        -48.656     4.75    1.80518    25.4  0.6161        17.46
26        -12.990     0.80    1.88300    40.8  0.5667        17.55
27      -1003.160     0.20                                    18.01
28         33.652     2.54    1.68893    31.1  0.6003        18.31
29       1299.417    (可変)                                    18.15
30        -26.243     0.75    1.75500    52.3  0.5476        18.06
31         52.073     2.45    1.80810    22.8  0.6307        19.53
32       -173.421    (可変)                                    20.04
33(絞り)      ∞       1.40                                    26.40
34      -2344.389     3.04    1.54814    45.8  0.5685        27.33
35        -52.261     0.20                                    27.84
36        559.498     2.59    1.72047    34.7  0.5834        28.67
37        -94.784     0.20                                    28.92
38         90.102     6.95    1.72047    34.7  0.5834        29.17
39        -29.451     1.20    1.92286    18.9  0.6495        29.01
40       -294.678    34.00                                    29.25
41        114.071     4.00    1.92286    18.9  0.6495        29.48
42        -71.194     6.81                                    29.30
43       -261.853     1.20    1.88300    40.8  0.5667        23.75
44         21.740     5.13    1.49700    81.5  0.5375        22.37
45       1783.648     0.24                                    22.20
46         35.748     7.14    1.49700    81.5  0.5375        22.12
47        -19.737     1.20    2.00330    28.3  0.5980        21.88
48       -140.247     0.15                                    22.89
49         90.253     5.55    1.49700    81.5  0.5375        23.35
50        -26.510     4.00                                     23.62
51           ∞       33.00    1.60859    46.4  0.5664        40.00
52           ∞       13.20    1.51680    64.2  0.5347        40.00
53           ∞    (可変)                                      40.00
像面         ∞
非球面データ
第1面
K =-5.42173e+001  A 4= 1.90661e-006  A 6= 3.73103e-011  A 8=-1.91524e-013  A10=-6.77526e-019  
A 3=-4.12872e-006  A 5=-1.32181e-008  A 7= 2.42261e-012  A 9= 2.44378e-015
第10面
K =-2.28238e+000  A 4=-2.08837e-007  A 6= 2.96604e-011  A 8= 3.48782e-013  A10=-1.18721e-016
A 3=-6.36724e-007  A 5= 5.61037e-010  A 7=-1.11164e-011  A 9=-3.18271e-016
各種データ
ズーム比     13.00
広角     中間     望遠
焦点距離       4.45    16.02    57.85
Fナンバー      1.90     1.90     2.80
画角          51.02    18.95     0.00
像高           5.50     5.50     0.00
レンズ全長    300.03   300.03   300.03
BF            38.16    38.16    38.16
d20            0.91    31.10    44.72
d29           42.27     8.63     6.22
d32            9.00    12.46     1.24
d53            4.99     4.99     4.99
入射瞳位置     34.85    53.95    97.66
射出瞳位置    724.89   724.89   724.89
前側主点位置   39.33    70.32   160.16
後側主点位置    0.54   -11.03   -52.86
ズームレンズ群データ
群  始面    焦点距離  レンズ構成長  前側主点位置  後側主点位置
1    1      26.80       109.58        47.04         36.95
2   21     -16.80        15.91         0.43        -11.92
3   30     -43.80         3.20        -0.39         -2.18
4   33      52.90       131.20        56.46       -113.55
【０１０７】
（数値実施例２）
面データ
面番号         r        d        nd        vd      θgF          有効径
1*        227.195     2.50   1.77250    49.6    0.5521        87.70
2          33.736    19.76                                      61.84
3         311.589     1.85   1.75500    52.3    0.5476        61.28
4          80.391    13.54                                      58.97
5         -80.728     1.75   1.75500    52.3    0.5476        58.73
6      -17642.010     1.30                                      60.74
7         135.169     6.62   1.80518    25.4    0.6161        63.25
8        -339.711     1.16                                      63.31
9         328.904     9.40   1.51633    64.1    0.5352        62.99
10*       -74.094    11.86                                      62.84
11       1211.778     8.57   1.48749    70.2    0.5300        54.63
12        -67.682     1.65   1.88300    40.8    0.5667        54.19
13       -126.215     0.20                                      54.42
14        182.391     1.65   2.00330    28.3    0.5980        52.89
15         55.727    10.56   1.49700    81.5    0.5375        52.39
16       -405.898     0.20                                      53.25
17        130.732     9.01   1.49700    81.5    0.5375        54.61
18        -91.216     0.20                                      54.76
19         57.687     7.79   1.62041    60.3    0.5426        52.65
20       1234.500    (可変)                                     51.79
21         52.721     0.75   1.88300    40.8    0.5667        21.51
22         13.435     3.29                                      18.24
23         67.192     0.75   1.88300    40.8    0.5667        18.10
24         36.490     2.83                                      17.67
25        -48.656     4.75   1.80518    25.4    0.6161        17.46
26        -12.990     0.80   1.88300    40.8    0.5667        17.55
27      -1003.160     0.20                                      18.01
28         33.652     2.54   1.68893    31.1    0.6003        18.31
29       1299.417    (可変)                                     18.15
30        -26.243     0.75   1.75500    52.3    0.5476        18.06
31         52.073     2.45   1.80810    22.8    0.6307        19.53
32       -173.421    (可変)                                     20.04
33(絞り)     ∞        1.40                                      26.40
34      -6210.608     3.48   1.51742    52.4    0.5564        27.34
35        -43.230     0.20                                      27.87
36        131.811     2.86   1.51742    52.4    0.5564        28.91
37       -139.192     0.20                                      29.07
38         60.741     6.91   1.51742    52.4    0.5564        29.31
39        -35.821     1.20   1.80810    22.8    0.6307        29.08
40       -219.130    34.00                                      29.28
41         71.936     4.28   1.84666    23.8    0.6205        28.71
42        -77.529     6.46                                      28.41
43        -69.616     1.20   1.88300    40.8    0.5667        23.34
44         24.451     5.56   1.48749    70.2    0.5300        22.36
45        -79.972     0.24                                      22.39
46         46.903     6.56   1.49700    81.5    0.5375        22.61
47        -23.655     1.20   2.00330    28.3    0.5980        22.46
48       -111.207     0.15                                      23.22
49         88.163     5.09   1.49700    81.5    0.5375        23.59
50        -31.853     4.00                                      23.72
51            ∞      33.00   1.60859    46.4    0.5664        40.00
52            ∞      13.20   1.51680    64.2    0.5347        40.00
53            ∞      (可変)                                     40.00
像面          ∞
非球面データ
第1面
K =-5.42173e+001  A 4= 1.90661e-006  A 6= 3.73103e-011  A 8=-1.91524e-013  A10=-6.77526e-019
A 3=-4.12872e-006  A 5=-1.32181e-008  A 7= 2.42261e-012  A 9= 2.44378e-015
第10面
K =-2.28238e+000  A 4=-2.08837e-007  A 6= 2.96604e-011  A 8= 3.48782e-013  A10=-1.18721e-016
A 3=-6.36724e-007  A 5= 5.61037e-010  A 7=-1.11164e-011  A 9=-3.18271e-016
各種データ
ズーム比     13.00 
広角     中間     望遠
焦点距離       4.45    16.02    57.85
Fナンバー      1.90     1.90     2.80
画角          51.02    18.95     0.00
像高           5.50     5.50     0.00
レンズ全長    300.04   300.04   300.04
BF            38.17    38.17    38.17
d20            0.91    31.10    44.72
d29           42.27     8.63     6.22
d32            9.00    12.46     1.24
d53            5.00     5.00     5.00
入射瞳位置     34.85    53.95    97.66
射出瞳位置    502.92   502.92   502.92
前側主点位置   39.34    70.48   162.23
後側主点位置    0.55   -11.02   -52.85
ズームレンズ群データ
群  始面    焦点距離  レンズ構成長  前側主点位置  後側主点位置
1    1      26.80       109.58        47.04         36.95
2   21     -16.80        15.91         0.43        -11.92
3   30     -43.80         3.20        -0.39         -2.18
4   33      55.14       131.20        60.51       -118.56
【０１０８】
（数値実施例３）
面番号         r        d        nd        vd      θgF          有効径
1*        227.195     2.50   1.77250    49.6    0.5521        87.70
2          33.736    19.76                                      61.84
3         311.589     1.85   1.75500    52.3    0.5476        61.28
4          80.391    13.54                                      58.97
5         -80.728     1.75   1.75500    52.3    0.5476        58.73
6      -17642.010     1.30                                      60.74
7         135.169     6.62   1.80518    25.4    0.6161        63.25
8        -339.711     1.16                                      63.31
9         328.904     9.40   1.51633    64.1    0.5352        62.99
10*       -74.094    11.86                                      62.84
11       1211.778     8.57   1.48749    70.2    0.5300        54.63
12        -67.682     1.65   1.88300    40.8    0.5667        54.19
13       -126.215     0.20                                      54.42
14        182.391     1.65   2.00330    28.3    0.5980        52.89
15         55.727    10.56   1.49700    81.5    0.5375        52.39
16       -405.898     0.20                                      53.25
17        130.732     9.01   1.49700    81.5    0.5375        54.61
18        -91.216     0.20                                      54.76
19         57.687     7.79   1.62041    60.3    0.5426        52.65
20       1234.500    (可変)                                     51.79
21         52.721     0.75   1.88300    40.8    0.5667        21.51
22         13.435     3.29                                      18.24
23         67.192     0.75   1.88300    40.8    0.5667        18.10
24         36.490     2.83                                      17.67
25        -48.656     4.75   1.80518    25.4    0.6161        17.46
26        -12.990     0.80   1.88300    40.8    0.5667        17.55
27      -1003.160     0.20                                      18.01
28         33.652     2.54   1.68893    31.1    0.6003        18.31
29       1299.417    (可変)                                     18.15
30        -26.243     0.75   1.75500    52.3    0.5476        18.06
31         52.073     2.45   1.80810    22.8    0.6307        19.53
32       -173.421    (可変)                                     20.04
33(絞り)      ∞       1.40                                      26.40
34     74917.413      3.48   1.53172    48.8    0.5630        27.36
35       -43.582      0.20                                      27.87
36       120.353      3.49   1.53172    48.8    0.5630        28.90
37       -80.921      0.20                                      29.04
38        55.956      6.65   1.53172    48.8    0.5630        28.96
39       -38.300      1.20   1.84666    23.8    0.6205        28.56
40       657.884     34.00                                      28.47
41        84.421      4.17   1.84666    23.8    0.6205        28.30
42       -68.461      5.37                                      28.06
43       -84.755      1.20   1.88300    40.8    0.5667        23.78
44        24.694      5.66   1.48749    70.2    0.5300        22.73
45       -72.325      0.24                                      22.72
46        43.202      6.81   1.49700    81.5    0.5375        22.86
47       -21.609      1.20   1.90366    31.3    0.5947        22.63
48      -585.336      0.20                                      23.38
49        73.112      5.54   1.48749    70.2    0.5300        23.77
50       -29.309      4.00                                      23.94
51           ∞       33.00   1.60859    46.4    0.5664        40.00
52           ∞       13.20   1.51680    64.2    0.5347        40.00
53           ∞      (可変)                                      40.00
像面         ∞
非球面データ
第1面
K =-5.42173e+001  A 4= 1.90661e-006  A 6= 3.73103e-011  A 8=-1.91524e-013  A10=-6.77526e-019
A 3=-4.12872e-006  A 5=-1.32181e-008  A 7= 2.42261e-012  A 9= 2.44378e-015
第10面
K =-2.28238e+000  A 4=-2.08837e-007  A 6= 2.96604e-011  A 8= 3.48782e-013  A10=-1.18721e-016
A 3=-6.36724e-007  A 5= 5.61037e-010  A 7=-1.11164e-011  A 9=-3.18271e-016
各種データ
ズーム比     13.00
広角     中間     望遠
焦点距離       4.45    16.02    57.85
Fナンバー      1.90     1.90     2.80
画角          51.02    18.95     5.43
像高           5.50     5.50     5.50
レンズ全長    300.04   300.04   300.04
BF            38.17    38.17    38.17
d20            0.91    31.10    44.72
d29           42.27     8.63     6.22
d32            9.00    12.46     1.24
d53            5.00     5.00     5.00
入射瞳位置     34.85    53.95    97.66
射出瞳位置    432.51   432.51   432.51
前側主点位置   39.35    70.57   163.34
後側主点位置    0.55   -11.02   -52.85
ズームレンズ群データ
群  始面    焦点距離  レンズ構成長  前側主点位置  後側主点位置
1    1      26.80       109.58        47.04         36.95
2   21     -16.80        15.91         0.43        -11.92
3   30     -43.80         3.20        -0.39         -2.18
4   33      56.42       131.20        62.82       -121.43
【０１０９】
（数値実施例４）
面データ
面番号         r        d        nd        vd    θgF          有効径
1         348.182     3.86   1.77250    49.6    0.5521        78.53
2          65.248     6.25                                      70.54
3          65.578     6.13   1.75520    27.5    0.6103        69.19
4          97.706     8.94                                      67.70
5         612.487     5.45   1.49700    81.5    0.5375        65.53
6        -416.776    20.81                                      64.14
7         373.686     2.97   1.69895    30.1    0.6029        59.10
8          58.828    11.20   1.43875    95.0    0.5342        57.56
9        -578.845     0.12                                      57.57
10        113.463     6.31   1.43875    95.0    0.5342        57.41
11       -693.179     0.12                                      57.04
12         81.228     7.09   1.77250    49.6    0.5521        56.42
13       -911.265    (可変)                                     55.84
14         47.769     1.19   1.77250    49.6    0.5521        23.96
15         19.993     5.13                                      21.26
16        -37.085     1.19   1.77250    49.6    0.5521        20.80
17         37.085     4.25                                      20.22
18        -44.595     3.54   1.72825    28.5    0.6077        20.54
19        -24.436     1.19   1.77250    49.6    0.5521        21.25
20        -72.930     0.12                                      22.15
21         74.058     4.17   1.67270    32.1    0.5988        22.78
22        -70.755    (可変)                                     22.94
23        -35.850     1.07   1.77250    49.6    0.5521        19.03
24         56.162     3.95   1.84666    23.8    0.6205        20.13
25       -516.532    (可変)                                     21.02
26(絞り)     ∞        1.86                                      23.29
27       -217.157     3.27   1.64000    60.1    0.5372        24.12
28        -41.752     0.12                                      24.76
29        281.173     4.80   1.53172    48.8    0.5630        25.25
30        -30.833     1.37   1.83400    37.2    0.5775        25.44
31        -91.060     0.12                                      26.18
32         63.027     4.81   1.72047    34.7    0.5834        26.66
33        -55.843     1.78   1.80518    25.4    0.6161        26.52
34     -11707.793    31.11                                      26.37
35         45.769     4.81   1.49700    81.5    0.5375        26.82
36        -87.359     0.12                                      26.57
37        357.305     1.37   1.88300    40.8    0.5667        26.06
38         29.004     5.19   1.49700    81.5    0.5375        25.14
39       -134.470     0.28                                      25.06
40         64.530     5.27   1.49700    81.5    0.5375        24.73
41        -33.681     1.37   1.88300    40.8    0.5667        24.30
42       -158.115     0.12                                      24.22
43        157.207     2.49   1.80518    25.4    0.6161        24.03
44       9233.957     2.97                                      23.69
45            ∞      37.48   1.60859    46.4    0.5664        29.73
46            ∞       5.17   1.51633    64.2    0.5352        29.73
47            ∞      (可変)                                     29.73
像面          ∞
各種データ
ズーム比      8.00
広角     中間     望遠
焦点距離      10.70    30.29    85.62
Fナンバー      2.28     2.27     2.27
画角          27.20    10.29     3.68
像高           5.50     5.50     5.50
レンズ全長    285.47   285.47   285.47
BF            41.53    41.53    41.53
d13            4.21    40.88    60.78
d22           60.35    19.59     3.47
d25            4.07     8.16     4.38
d47           11.89    11.89    11.89
入射瞳位置     71.13   153.89   313.63
射出瞳位置   -233.54  -233.54  -233.54
前側主点位置   81.36   180.44   369.38
後側主点位置    1.19   -18.40   -73.73
ズームレンズ群データ
群  始面    焦点距離  レンズ構成長  前側主点位置  後側主点位置
1    1      77.30        79.25        62.50         14.52
2   14     -22.59        20.78         0.20        -19.02
3   23     -54.11         5.02        -0.29         -3.03
4   26      41.48       115.89        32.68        -79.41
【０１１０】
（数値実施例５）
面データ
面番号         r        d        nd        vd    θgF          有効径
1         348.182     3.86   1.77250    49.6    0.5521        78.53
2          65.248     6.25                                      70.54
3          65.578     6.13   1.75520    27.5    0.6103        69.19
4          97.706     8.94                                      67.70
5         612.487     5.45   1.49700    81.5    0.5375        65.53
6        -416.776    20.81                                      64.14
7         373.686     2.97   1.69895    30.1    0.6029        59.10
8          58.828    11.20   1.43875    95.0    0.5342        57.56
9        -578.845     0.12                                      57.57
10        113.463     6.31   1.43875    95.0    0.5342        57.41
11       -693.179     0.12                                      57.04
12         81.228     7.09   1.77250    49.6    0.5521        56.42
1        -911.265    (可変)                                     55.84
14         47.769     1.19   1.77250    49.6    0.5521        23.96
15         19.993     5.13                                      21.26
16        -37.085     1.19   1.77250    49.6    0.5521        20.80
17         37.085     4.25                                      20.22
18        -44.595     3.54   1.72825    28.5    0.6077        20.54
19        -24.436     1.19   1.77250    49.6    0.5521        21.25
20        -72.930     0.12                                      22.15
21         74.058     4.17   1.67270    32.1    0.5988        22.78
22        -70.755    (可変)                                     22.94
23        -35.850     1.07   1.77250    49.6    0.5521        19.03
24         56.162     3.95   1.84666    23.8    0.6205        20.13
25       -516.532    (可変)                                     21.02
26(絞り)      ∞       1.65                                      23.29
27       -112.419     2.64   1.64000    60.1    0.5372        24.12
28        -41.910     0.12                                      24.76
29       2388.431     4.30   1.58144    40.8    0.5775        25.25
30        -30.493     1.37   1.90366    31.3    0.5947        25.44
31        -71.086     0.56                                      26.18
32         54.519     6.01   1.72047    34.7    0.5834        26.66
33        -67.745     1.78   1.80518    25.4    0.6161        26.52
34        321.099    (可変)                                     26.37
35         32.697     6.90   1.49700    81.5    0.5375        26.82
36       -173.413     2.00                                      26.57
37        197.167     1.37   1.88300    40.8    0.5667        26.06
38         23.856     5.61   1.49700    81.5    0.5375        25.14
39        -143.740    0.28                                      25.06
40         75.774     5.23   1.49700    81.5    0.5375        24.73
41        -29.046     1.37   1.88300    40.8    0.5667        24.30
42       -185.352     0.12                                      24.22
43         95.154     2.34   1.80518    25.4    0.6161        24.03
44       -905.404     2.95                                      23.69
45            ∞      37.48   1.60859    46.4    0.5664        29.73
46            ∞       5.17   1.51633    64.2    0.5352        29.73
47            ∞      (可変)                                     29.73
像面          ∞
各種データ
ズーム比      8.00
広角     中間     望遠
焦点距離      10.70    30.29    85.62
Fナンバー      2.30     2.30     2.30
画角          27.20    10.29     3.68
像高           5.50     5.50     5.50
レンズ全長    289.97   289.97   289.97
BF            41.50    41.50    41.50
d13            4.21    40.88    60.78
d22           60.35    19.59     3.47
d25            4.07     8.16     4.38
d34           31.14    31.14    31.14
d47           11.89    11.89    11.89
入射瞳位置     71.13   153.89   313.63
射出瞳位置   -274.21  -274.21  -274.21
前側主点位置   81.43   180.97   373.63
後側主点位置   1.19   -18.40   -73.73
ズームレンズ群データ
群  始面    焦点距離  レンズ構成長  前側主点位置  後側主点位置
1    1      77.30        79.25        62.50         14.52
2   14     -22.59        20.78         0.20        -19.02
3   23     -54.11         5.02        -0.29         -3.03
4   26      46.01        18.43         5.48         -6.28
5   35      59.97        70.81         3.95        -43.72
【０１１１】
（数値実施例６）
面データ
面番号         r        d        nd        vd    θgF          有効径
1*        227.195     2.50   1.77250    49.6    0.5521        87.70
2          33.736    19.76                                      61.84
3         311.589     1.85   1.75500    52.3    0.5476        61.28
4          80.391    13.54                                      58.97
5         -80.728     1.75   1.75500    52.3    0.5476        58.73
6      -17642.010     1.30                                      60.74
7         135.169     6.62   1.80518    25.4    0.6161        63.25
8        -339.711     1.16                                      63.31
9         328.904     9.40   1.51633    64.1    0.5352        62.99
10*       -74.094    11.86                                      62.84
11       1211.778     8.57   1.48749    70.2    0.5300        54.63
12        -67.682     1.65   1.88300    40.8    0.5667        54.19
13       -126.215     0.20                                      54.42
14        182.391     1.65   2.00330    28.3    0.5980        52.89
15         55.727    10.56   1.49700    81.5    0.5375        52.39
16       -405.898     0.20                                      53.25
17        130.732     9.01   1.49700    81.5    0.5375        54.61
18        -91.216     0.20                                      54.76
19         57.687     7.79   1.62041    60.3    0.5426        52.65
20       1234.500    (可変)                                     51.79
21         52.721     0.75   1.88300    40.8    0.5667        21.51
22         13.435     3.29                                     18.24
23         67.192     0.75   1.88300    40.8    0.5667        18.10
24         36.490     2.83                                     17.67
25        -48.656     4.75   1.80518    25.4    0.6161        17.46
26        -12.990     0.80   1.88300    40.8    0.5667        17.55
27      -1003.160     0.20                                     18.01
28         33.652     2.54   1.68893    31.1    0.6003        18.31
29       1299.417    (可変)                                     18.15
30        -26.243     0.75   1.75500    52.3    0.5476        18.06
31         52.073     2.45   1.80810    22.8    0.6307        19.53
32       -173.421    (可変)                                     20.04
33(絞り)      ∞       1.40                                      26.40
34      -2121.299     3.15   1.51742    52.4    0.5564        27.32
35        -49.227     0.20                                      27.85
36        417.806     2.64   1.51742    52.4    0.5564        28.75
37        -96.963     0.20                                      29.02
38         80.890     6.59   1.54072    47.2    0.5650        29.47
39        -34.094     1.20   1.92286    18.9    0.6495        29.42
40        -84.780     1.50                                      29.97
41         31.960     6.58   1.49700    81.5    0.5375        29.96
42       -129.452     0.24                                      29.27
43         38.837     5.28   1.49700    81.5    0.5375        26.96
44       -102.023     1.50   1.90366    31.3    0.5947        25.55
45     401349.727     9.05                                      24.48
46        -46.307     3.07   1.92286    18.9    0.6495        16.55
47        -23.607     1.50   1.77250    49.6    0.5521        15.93
48         19.071     5.28                                      14.42
49         50.710     4.80   1.80810    22.8    0.6307        29.92
50       -107.018     6.73                                      29.50
51       -121.364     1.20   1.88300    40.8    0.5667        23.81
52         21.943     5.75   1.48749    70.2    0.5300        22.38
53        -90.948     0.24                                      22.24
54         63.655     6.27   1.49700    81.5    0.5375        21.83
55        -19.511     1.20   2.00330    28.3    0.5980        21.66
56        -95.121     0.15                                      22.70
57        150.628     5.28   1.49700    81.5    0.5375        23.08
58        -25.533     4.00                                      23.38
59            ∞      33.00   1.60859    46.4    0.5664        40.00
60            ∞      13.20   1.51680    64.2    0.5347        40.00
61            ∞      (可変)                                     40.00
像面          ∞
非球面データ
第1面
K =-5.42173e+001  A 4= 1.90661e-006  A 6= 3.73103e-011  A 8=-1.91524e-013  A10=-6.77526e-019
A 3=-4.12872e-006  A 5=-1.32181e-008  A 7= 2.42261e-012  A 9= 2.44378e-015
第10面
K =-2.28238e+000  A 4=-2.08837e-007  A 6= 2.96604e-011  A 8= 3.48782e-013  A10=-1.18721e-016
A 3=-6.36724e-007  A 5= 5.61037e-010  A 7=-1.11164e-011  A 9=-3.18271e-016
各種データ
ズーム比     13.00
広角     中間     望遠
焦点距離       8.90    32.04   115.70
Fナンバー      3.80     3.81     5.60
画角          31.72     9.74     2.72
像高           5.50     5.50     5.50
レンズ全長    300.02   300.02   300.02
BF            38.14    38.14    38.14
d20            0.91    31.10    44.72
d29           42.27     8.63     6.22
d32            9.00    12.46     1.24
d61            4.97     4.97     4.97
入射瞳位置     34.85    53.95    97.66
射出瞳位置   -121.15  -121.15  -121.15
前側主点位置   43.12    77.85   107.22
後側主点位置   -3.93   -27.07  -110.73
ズームレンズ群データ
群  始面    焦点距離  レンズ構成長  前側主点位置  後側主点位置
1    1      26.80       109.58        47.04         36.95
2   21     -16.80        15.91         0.43        -11.92
3   30     -43.80         3.20        -0.39         -2.18
4   33      33.34       131.21         7.71       -111.12
各実施例と前述した条件式との対応を表１に示す。
【０１１２】
【表１】
2010217735.tif 000004
【符号の説明】
【０１１３】
Ｕ１  正の第１レンズ群
Ｕ２  負の第２レンズ群
Ｕ３  負の第３レンズ群
Ｕ４  正の第４レンズ群
Ｕ４１  正の第４１レンズ群
Ｕ４２  正の第４２レンズ群
Ｌｍ  異常分散性を有する光学材料
ＳＰ  絞り
ＩＥ  変倍光学系ユニット
【図１】
2010217735.tif 000005
【図２】
2010217735.tif 000006
【図３】
2010217735.tif 000007
【図４】
2010217735.tif 000008
【図５】
2010217735.tif 000009
【図６】
2010217735.tif 000010
【図７】
2010217735.tif 000011
【図８】
2010217735.tif 000012
【図９】
2010217735.tif 000013
【図１０】
2010217735.tif 000014
【図１１】
2010217735.tif 000015
【図１２】
2010217735.tif 000016
【図１３】
2010217735.tif 000017
【図１４】
2010217735.tif 000018